(57)【要約】【課題】読取可能領域よりも大きい寸法の用紙上に形成される画像についての補正量の算出に適した画像形成装置および試験データを提供することを目的とする。【解決手段】用紙の用紙台に置かれる姿勢を変更しながら複数回繰り返して試験画像全域を読み取ることを予定したときの、用紙の各姿勢における用紙台上に置かれている部分に形成されている一部領域をそれぞれ特定する識別画像が各姿勢における部分にそれぞれ含まれるように複数分散配置された試験画像を表わす試験データに基づく試験画像が用紙台から食み出す寸法の用紙上に形成され、その試験画像が形成された用紙が用紙台上に一部が食み出した状態に置かれて試験画像の一部領域内の画像を読み取る動作の繰り返しにより読み取られた試験画像を表わす画像データに基づいて補正量が算出され、その補正量に基づいて補正された画像が形成される。【選択図】図５
2014023088.tif 000002
【特許請求の範囲】
【請求項１】
用紙台上に置かれた原稿画像を読み取って画像データを生成する原稿読取部と、
前記原稿読取部で生成された画像データに基づいて用紙上に画像を形成する画像形成部とを備え、
前記画像形成部が、
前記用紙台から食み出す寸法の用紙上に形成される、画像補正用の補正量を求めるための試験画像であって、該試験画像が形成された用紙が前記用紙台上に一部が食み出した状態に置かれて、該用紙の該用紙台上に置かれた部分に形成されている、該試験画像のうちの一部領域内の画像を読み取る動作を、該用紙の該用紙台に置かれる姿勢を変更しながら複数回繰り返して該試験画像全域を読み取ることを予定したときの、該用紙の各姿勢における該用紙台上に置かれている部分に形成されている該一部領域をそれぞれ特定する識別画像が該各姿勢における該部分にそれぞれ含まれるように複数分散配置された試験画像を表わす試験データを記憶する記憶部を備えるとともに、
前記記憶部に記憶された該試験データに基づく試験画像を前記用紙台から食み出す寸法の用紙上に形成する試験画像形成モードを有し、
当該画像形成部がさらに、前記試験画像形成モードにおいて前記試験画像が形成された用紙が前記用紙台上に一部が食み出した状態に置かれて該試験画像の一部領域内の画像を読み取る動作の繰り返しにより読み取られた該試験画像を表わす画像データに基づいて、画像補正用の補正量を算出する補正量算出部と、
前記補正量算出部で算出された前記補正量を記憶しておく補正量記憶部とを備え、
当該画像形成部が、用紙上に、前記補正量記憶部に記憶されている前記補正量に基づいて補正された画像を形成するものであることを特徴とする画像形成装置。
【請求項２】
前記画像形成部が一枚の用紙の表裏面双方に画像を形成する機能を備え、
前記記憶部が、前記用紙台から食み出す寸法の用紙の両面に形成される試験画像であって、該用紙の前記各姿勢における該用紙台上に置かれている部分に形成されている、該試験画像の一部領域をそれぞれ特定するとともに、該用紙の表裏を互いに識別する識別画像が複数分散配置された試験画像を表わす試験データを記憶するものであって、
当該画像形成部が、前記試験画像形成モードにおいて、前記記憶部に記憶された試験データに基づいて、前記試験画像を、前記用紙台から食み出す寸法の用紙の表裏面双方に形成するものであることを特徴とする請求項１記載の画像形成装置。
【請求項３】
前記記憶部が、前記用紙台から食み出す寸法の複数枚の用紙上に形成される試験画像であって、前記各姿勢における該用紙台上に置かれている部分に形成されている、該試験画像の一部領域をそれぞれ特定するとともに、該複数枚の用紙を互いに識別する識別画像が複数分散配置された試験画像を表わす試験データを記憶するものであって、
前記画像形成部が、前記試験画像形成モードにおいて、前記記憶部に記憶された試験データに基づいて、前記試験画像を、前記用紙台から食み出す寸法の複数枚の用紙上に形成するものであることを特徴とする請求項１又は２記載の画像形成装置。
【請求項４】
前記画像読取部により前記試験画像形成モードにおいて形成された試験画像全体が読み取られたか否かを判定し、読取りの行われていない一部領域が存在する場合に警告を行なう警告部を備えたことを特徴とする請求項１から３のうちいずれか一項記載の画像形成装置。
【請求項５】
用紙台上に置かれた原稿画像を読み取って画像データを生成する原稿読取部と、
前記原稿
読取部で生成された画像データに基づいて用紙上に画像を形成する画像形成部とを備え、
前記画像形成部が、
前記用紙台から食み出す寸法の用紙上に形成される、画像補正用の補正量を求めるための試験画像を表わす試験データを記憶する記憶部を備えるとともに、
前記記憶部に記憶された前記試験データに基づく試験画像を、前記用紙台から食み出す寸法の用紙上に形成する試験画像形成モードを有し、
当該画像形成部がさらに、前記試験画像形成モードにおいて前記試験画像が形成された用紙が前記用紙台上に一部が食み出した状態に置かれて該試験画像の一部領域内の画像を読み取る動作の繰り返しにより読み取られた該試験画像を表わす画像データに基づいて、画像補正用の補正量を算出する補正量算出部と、
前記補正量算出部で算出された前記補正量を記憶しておく補正量記憶部とを備え、
当該画像形成部が、用紙上に前記補正量記憶部に記憶されている前記補正量に基づいて補正された画像を形成するものである画像形成装置の前記記憶部に記憶される試験データであって、
前記試験画像が形成された用紙が前記用紙台上に一部が食み出した状態に置かれて、該用紙の該用紙台上に置かれた部分に形成されている、該試験画像のうちの一部領域内の画像を読み取る動作を、該用紙の該用紙台に置かれる姿勢を変更しながら複数回繰り返して該試験画像全域を読み取ることを予定したときの、該用紙の各姿勢における該用紙台上に置かれている部分に形成されている該一部領域をそれぞれ特定する識別画像が該各姿勢における該部分にそれぞれ含まれるように複数分散配置された試験画像を表わすものであることを特徴とする試験データ。
【発明の詳細な説明】
【技術分野】
【０００１】
本発明は、画像形成装置および試験データに関する。
【背景技術】
【０００２】
特許文献１には、テストチャートを出力しスキャナで出力画像を読み込むことで画像形成位置のずれを検出して補正する方法が示されている。
【先行技術文献】
【特許文献】
【０００３】
【特許文献１】特開平０４−３１７２４７号公報
【発明の概要】
【発明が解決しようとする課題】
【０００４】
本発明は、読取可能領域よりも大きい寸法の用紙上に形成される画像についての補正量の算出に適した画像形成装置および試験データを提供することを目的とする。
【課題を解決するための手段】
【０００５】
請求項１は、
用紙台上に置かれた原稿画像を読み取って画像データを生成する原稿読取部と、
前記原稿読取部で生成された画像データに基づいて用紙上に画像を形成する画像形成部とを備え、
前記画像形成部が、
前記用紙台から食み出す寸法の用紙上に形成される、画像補正用の補正量を求めるための試験画像であって、該試験画像が形成された用紙が前記用紙台上に一部が食み出した状態に置かれて、該用紙の該用紙台上に置かれた部分に形成されている、該試験画像のうちの一部領域内の画像を読み取る動作を、該用紙の該用紙台に置かれる姿勢を変更しながら複数回繰り返して該試験画像全域を読み取ることを予定したときの、該用紙の各姿勢における該用紙台上に置かれている部分に形成されている該一部領域をそれぞれ特定する識別画像が該各姿勢における該部分にそれぞれ含まれるように複数分散配置された試験画像を表わす試験データを記憶する記憶部を備えるとともに、
前記記憶部に記憶された該試験データに基づく試験画像を前記用紙台から食み出す寸法の用紙上に形成する試験画像形成モードを有し、
当該画像形成部がさらに、前記試験画像形成モードにおいて前記試験画像が形成された用紙が前記用紙台上に一部が食み出した状態に置かれて該試験画像の一部領域内の画像を読み取る動作の繰り返しにより読み取られた該試験画像を表わす画像データに基づいて、画像補正用の補正量を算出する補正量算出部と、
前記補正量算出部で算出された前記補正量を記憶しておく補正量記憶部とを備え、
当該画像形成部が、用紙上に、前記補正量記憶部に記憶されている前記補正量に基づいて補正された画像を形成するものであることを特徴とする画像形成装置である。
【０００６】
請求項２は、請求項１の画像形成装置において、前記画像形成部が一枚の用紙の表裏面双方に画像を形成する機能を備え、
前記記憶部が、前記用紙台から食み出す寸法の用紙の両面に形成される試験画像であって、該用紙の前記各姿勢における該用紙台上に置かれている部分に形成されている、該試験画像の一部領域をそれぞれ特定するとともに、該用紙の表裏を互いに識別する識別画像が複数分散配置された試験画像を表わす試験データを記憶するものであって、
当該画像形成部が、前記試験画像形成モードにおいて、前記記憶部に記憶された試験データに基づいて、前記試験画像を、前記用紙台から食み出す寸法の用紙の表裏面双方に形成するものであることを特徴とする。
【０００７】
請求項３は、請求項１又は２記載の画像形成装置において、前記記憶部が、前記用紙台から食み出す寸法の複数枚の用紙上に形成される試験画像であって、前記各姿勢における該用紙台上に置かれている部分に形成されている、該試験画像の一部領域をそれぞれ特定するとともに、該複数枚の用紙を互いに識別する識別画像が複数分散配置された試験画像を表わす試験データをを記憶するものであって、
前記画像形成部が、前記試験画像形成モードにおいて、前記記憶部に記憶された試験データに基づいて、前記試験画像を、前記用紙台から食み出す寸法の複数枚の用紙上に形成するものであることを特徴とする。
【０００８】
請求項４は、請求項１から３のうちいずれか一項記載の画像形成装置において、前記画像読取部により前記試験画像形成モードにおいて形成された試験画像全体が読み取られたか否かを判定し、読取りの行われていない一部領域が存在する場合に警告を行なう警告部を備えたことを特徴とする。
【０００９】
請求項５は、
用紙台上に置かれた原稿画像を読み取って画像データを生成する原稿読取部と、
前記原稿
読取部で生成された画像データに基づいて用紙上に画像を形成する画像形成部とを備え、
前記画像形成部が、
前記用紙台から食み出す寸法の用紙上に形成される、画像補正用の補正量を求めるための試験画像を表わす試験データを記憶する記憶部を備えるとともに、
前記記憶部に記憶された前記試験データに基づく試験画像を、前記用紙台から食み出す寸法の用紙上に形成する試験画像形成モードを有し、
当該画像形成部がさらに、前記試験画像形成モードにおいて前記試験画像が形成された用紙が前記用紙台上に一部が食み出した状態に置かれて該試験画像の一部領域内の画像を読み取る動作の繰り返しにより読み取られた該試験画像を表わす画像データに基づいて、画像補正用の補正量を算出する補正量算出部と、
前記補正量算出部で算出された前記補正量を記憶しておく補正量記憶部とを備え、
当該画像形成部が、用紙上に前記補正量記憶部に記憶されている前記補正量に基づいて補正された画像を形成するものである画像形成装置の前記記憶部に記憶される試験データであって、
前記試験画像が形成された用紙が前記用紙台上に一部が食み出した状態に置かれて、該用紙の該用紙台上に置かれた部分に形成されている、該試験画像のうちの一部領域内の画像を読み取る動作を、該用紙の該用紙台に置かれる姿勢を変更しながら複数回繰り返して該試験画像全域を読み取ることを予定したときの、該用紙の各姿勢における該用紙台上に置かれている部分に形成されている該一部領域をそれぞれ特定する識別画像が該各姿勢における該部分にそれぞれ含まれるように複数分散配置された試験画像を表わすものであることを特徴とする試験データである。
【発明の効果】
【００１０】
請求項１の画像形成装置および請求項５の試験データによれば、読取可能領域よりも大きい寸法の用紙に出力された試験画像の、用紙台に置かれる用紙の姿勢を変更しながらの読取りの繰り返しにより、読取可能領域よりも大きい寸法の用紙上に形成する画像の補正量を算出することができる。
【００１１】
請求項２又は３の画像形成装置によれば、試験画像が読取可能領域よりも大きい寸法の用紙の両面、又は、読取可能領域よりも大きい寸法の複数枚の用紙に出力された場合であっても、読み取られる各領域を互いに識別することができる。
【００１２】
請求項４の画像形成装置によれば、読取りの繰り返しの際の読取りの失敗が容易に把握される。
【図面の簡単な説明】
【００１３】
【図１】本実施形態の画像形成装置の全体構成図である。
【図２】図１の画像形成装置における、透明ガラスの広さ（用紙台の広さ）より大きいサイズの用紙上での補正量算出の流れを表したフローチャートである。
【図３】図１の表示画面に表示される画面を表した図である。
【図４】試験画像を有するＮ枚の大サイズの用紙のうちの１枚について読取りが行われる際に、用紙が、図１の透明ガラスと上カバーとの間に配置されるまでの様子を表した図である。
【図５】試験画像を表した図である。
【発明を実施するための形態】
【００１４】
以下、図面を参照して本発明の実施形態を説明する。
【００１５】
図１は、本実施形態の画像形成装置１０の全体構成図である。
【００１６】
本実施形態の画像形成装置は片面出力機能に加えて両面出力機能も備えたコピー機である。
【００１７】
この画像形成装置１０は、用紙上の画像の読み取りを行って画像を表す画像データを生成する画像読取部２００、その画像データに基づき読み取った画像を別の用紙上に形成する画像形成部１００、ユーザから、出力枚数の指定や、両面／片面出力の選択や、画像出力前の用紙を収容しておくトレイの指定など、種々の画像形成情報の入力を受ける操作部２７０が備えられている。
【００１８】
操作部２７０には、タッチパネル式の表示画面２７０１と、画像読取・画像形成の開始を指示するスタートボタン、出力枚数等を指定する際の数値入力のための数値ボタン、画像形成装置の制御用のボタンといった各種のボタンからなるボタン群２７０２とが設けられている。このボタン群２７０２には、用紙上に画像を形成するにあたっての、用紙に対する画像形成位置の補正量や用紙上における画像の倍率に対する補正量といった種々の補正量の算出を行う補正量算出モードを画像形成装置１０に設定するための補正量算出モードボタン２７０２ａも含まれている。この補正量算出については後で詳述する。
【００１９】
画像読取部２００は、ユーザにより開閉される上カバー２６０と、その上カバー２６０の直下に配置された透明ガラス２５０を備えている。この画像読取部２００はさらに、その透明ガラス２５０の下に用紙上の画像読取を実行するための要素を備えている。
【００２０】
画像読取部２００は、画像の読み取りを実行するための要素として、第１キャリッジ２１０、第２キャリッジ２２０、レンズ部２３０、およびＣＣＤラインセンサ２４０を有している。第１キャリッジ２１０は、第１ミラー２１２とランプ２１１とを有し図１の左右方向に移動可能な要素である。この第１キャリッジ２１０はランプ２１１により読取対象の画像に光を照射しその反射光を受ける役割を担っている。第２キャリッジ２２０は、第２ミラー２２１と第３ミラー２２２とを有し第１キャリッジ２１０と同様に図の左右方向に移動可能な要素である。この第２キャリッジ２２０およびレンズ部２３０は、第１キャリッジ２１０の受けた反射光をＣＣＤラインセンサ２４０に導く役割を担っている。また、ＣＣＤラインセンサ２４０は、この反射光を受けて画像を表す画像データを生成する役割を担っている。
【００２１】
ここで、この画像読取部２００は、用紙上の画像を読み取る読取モードとして、搬送読取モードと静止読取モードとを有する。搬送読取モードでは、原稿トレイ２６１上に置かれた用紙３００’が１枚ずつ給紙口２６０ａから引き込まれ、一点鎖線矢印で示す搬送路を通って排出口２６０ｂまで不図示の機構で搬送される。この搬送読取モードは、搬送中の用紙上の画像を、静止した状態の第１キャリッジ２１０を用いて読み取って排紙台２６２の上に送り出す読取モードである。また、静止読取モードは、用紙を透明ガラス２５０の上に静止させ、図の実線矢印方向に移動する第１キャリッジ２１０を用いて読み取る読取モードである。この静止読取モードでは、透明ガラス２５０の、上カバー２６０側に向いた面が、読取対象の画像を有する用紙３００が配置される用紙台となっている。ここで、上カバー２６０を開き、用紙３００の読取対象の画像を有する面を図１の下方向に向けて透明ガラス２５０の上に配置し、上カバー２６０を閉じることによりこの用紙３００が上から押えられる。静止読取モードでは、この状態で第１キャリッジ２１０が移動しながら透明ガラス２５０上の用紙３００を照射し、用紙３００上の画像が読み取られる。この第１キャリッジ２１０が移動時には用紙からの反射光ＣＣＤセンサ２４０に達するまでの間の光路長を常に同一に保つように第２キャリッジ２２０も同じ方向に第１キャリッジ２１０の半分の速度で移動する。
【００２２】
画像形成部１００には、ブラック（Ｋ）、シアン（Ｃ）、マゼンタ（Ｍ）、イエロー（Ｙ）の各色用の画像を形成するための画像形成ユニット１Ｋ，１Ｃ、１Ｍ，１Ｙや、レーザ光を照射する露光部１００が備えられている。これら画像形成ユニット１Ｋ，１Ｃ、１Ｍ，１Ｙには、図１の矢印Ｂｋ方向，矢印Ｂｃ方向，矢印Ｂｍ方向，矢印Ｂｙ方向にそれぞれ回転する、電子写真方式用の積層型の現像剤保持体１１Ｋ，１１Ｃ、１１Ｍ，１１Ｙがそれぞれ備えられている。ここで、各画像形成ユニットには、上述の現像剤保持体の他に、不図示の帯電器および現像器が設けられている。各画像形成ユニット内の現像剤保持体は、不図示の帯電器により、あらかじめ定められた電位に表面電位が達するように帯電され、この帯電された現像剤保持体に露光部１００が、レーザ光により、回転する現像剤保持体１１Ｋ，１１Ｃ、１１Ｍ，１１Ｙの回転軸に沿った方向についてのラスタ走査を行うことで、電位分布による静電潜像が現像剤保持体上に形成される。この静電潜像に対し、帯電したトナーを含む現像剤中のトナーを不図示の現像器が静電的に付着させることで静電潜像が現像され、これにより、現像剤保持体上にトナーによる現像像が形成される。
【００２３】
また、図１の各画像形成ユニット１の下側には、各現像剤保持体に接して図１の矢印Ａ方向に移動する中間転写ベルト２が設けられており、その中間転写ベルト２を挟んで各現像剤保持体１１Ｋ，１１Ｃ、１１Ｍ，１１Ｙに対向する位置には各１次転写ロール１１０Ｋ，１１０Ｃ、１１０Ｍ，１１０Ｙが備えられている。この中間転写ベルト２は、各現像剤保持体上で形成された現像像の転写（１次転写）を受けて１次転写像を運搬する。
【００２４】
また、画像形成部１００には、上述した、画像形成ユニット１Ｋ，１Ｃ、１Ｍ，１Ｙ、中間転写ベルト２、および露光部１００に加え、さらに、中間転写ベルト２上の１次転写像の、用紙への２次転写を行う２次転写ロール３ａと、用紙上に転写された未定着の２次転写像を用紙に定着させる定着装置４とが備えられている。また、中間転写ベルト２の近傍には、各現像剤保持体からの１次転写像の間における相対的な位置や倍率の調整の際に各画像形成ユニットで形成され中間転写ベルト２上に転写された各色の検査用画像を検出するセンサ２ａが備えられている。この相対的な位置や倍率の調整では、中間転写ベルト２上に転写された各色の検査用画像をセンサ２ａが検出し、その検出結果に基づき、各色の検査用画像の間における相対的な位置や倍率が適正な位置や倍率となるように画像形成ユニット１Ｋ，１Ｃ、１Ｍ，１Ｙの調整が行われる。
【００２５】
また、画像形成部１００には、それぞれ、用紙を収容する第１トレイ７０Ａ、第２トレイ７０Ｂ、第３トレイ７０Ｃの３つのトレイや、中間転写ベルト２を駆動する駆動ロール３０も備えられている。中間転写ベルト２は、駆動ロール３０やその他の複数のロールに張架された状態で駆動ロール３０から駆動力を受けながら図１の矢印Ａ方向に循環移動する。中間転写ベルト２は、バックアップロール３ｂにより２次転写ロール３ａに押し付けられている。中間転写ベルト２上の１次転写像は、２次転写ロール３ａの作用により、第１トレイ７０Ａ、第２トレイ７０Ｂ、第３トレイ７０Ｃのいずれかから取り出されてその２次転写ロール３ａまで搬送されてきた用紙上に２次転写される。その２次転写を受けた用紙はさらに搬送され、定着器４によりその用紙上の２次転写像がその用紙上に定着されて排紙トレイ１０上に排出される。ここで、中間転写ベルト２の近傍にはクリーニング装置２ｂが設けられており、用紙への２次転写後に中間転写ベルト２上に残留したトナーはこのクリーニング装置２ｂにより除去される。また、上述した、各現像剤保持体からの１次転写像の間における相対的な位置や倍率の調整の際に形成された中間転写ベルト２上の各色の検査用画像は、２次転写ロール３ａで２次転写されることなくこのクリーニング装置２ｂにより除去される。
【００２６】
この画像形成装置１０には、画像形成部１００内の各部の制御を行うコントローラ６が設けられている。コントローラ６には、上述の画像読取部２００のＣＣＤラインセンサ２４０で生成された画像データを記憶する読取画像用メモリ６４が備えられている。また、画像形成装置１０では、用紙の搬送や画像形成ユニット１Ｋ，１Ｃ、１Ｍ，１Ｙの寸法／位置の誤差などに起因して用紙上の画像形成位置のずれや画像の倍率変化などが生じる。そこで、詳細は後述するが、この画像形成装置１０では、用紙上に試験画像を形成し、その用紙上の試験画像を画像読取部２００で読み取って、用紙に対する画像形成位置の補正量や用紙上における画像の倍率に対する補正量といった種々の補正量を算出することが行われる。このため、このコントローラ６には、上述の読取画像用メモリ６４の他に、後述の補正量の算出で用いられる試験画像を表す試験画像データを記憶する試験画像用メモリ６５が備えられている。また、算出された補正量を記憶する第１トレイ用メモリ群６１、第２トレイ用メモリ群６２、第３トレイ用メモリ群６３も備えられており、これらは、上述の第１トレイ７０Ａ、第２トレイ７０Ｂ、第３トレイ７０Ｃにそれぞれ対応するメモリ群である。このように補正量を記憶するメモリ群がトレイに応じて設けられている理由は、用紙がトレイから取り出される経路に応じて用紙上での画像形成位置のずれや画像の倍率変化の程度にも違いが生じるためである。ここで、いずれのメモリ群も、用紙の種類（普通紙、薄紙、厚紙）に対応して普通紙用メモリ、薄紙用メモリ、厚紙用メモリの３つのメモリ（不図示）で構成されている。各メモリ群の普通紙用メモリ、薄紙用メモリ、厚紙用メモリには、各メモリ群に対応するトレイから取り出された用紙上に画像を形成する際の、用紙上における画像の形成位置や画像の倍率等を補正するための補正量が、その用紙の種類（普通紙、薄紙、厚紙）に応じて記憶されている。このように補正量を記憶するメモリが用紙の種類（普通紙、薄紙、厚紙）に応じて設けられている理由は、用紙の種類に応じて用紙上での画像形成位置のずれや画像の倍率変化の程度に違いが生じることがあるからである。ここで、各トレイ７０Ａ，７０Ｂ，７０Ｃには、どのようなサイズ、どのような種類（普通紙、薄紙、厚紙）の用紙を収容するかをあらかじめ設定するように構成されている。電源をオン／オフしても設定し直さない限り前回の設定が有効である。なお、本発明は、サイズ等を自動検知する構成を備えていてもよい。
【００２７】
読取画像用メモリ６４に記憶されている画像データに基づく画像を用紙上に形成する際には、コントローラ６は、操作部２７０を介したユーザの操作により指定されたトレイに応じて、指定されたトレイに対応するメモリ群中の、そのトレイの用紙についてあらかじめ設定されている用紙の種類に対応するメモリから補正量を読み出して、その読み出した補正量に基づき、読取画像用メモリ６４に記憶されている画像データに対し画像の形成位置の補正処理や画像の倍率の補正処理といった種々の補正処理を施し、その補正処理が施された画像データに基づく静電潜像の形成を上述の露光部５に行わさせる。ここで、補正量は、両面出力における表面での画像形成の際の表面用の補正量と、両面出力における裏面での画像形成の際の裏面用の補正量との２種類の補正量からなっている。両面出力が指定されているときの画像形成では、用紙両面のうち１番目に画像の出力が行われる面である表面の画像を表す画像データに対して表面用の補正量に基づき補正処理が施され、２番目に画像の出力が行われる面である裏面の画像を表す画像データに対して裏面用の補正量に基づき補正処理が施される。一方、片面出力が指定されているときの画像形成では、画像データに対して表面用の補正量に基づき補正処理が施される。
【００２８】
次に、この画像形成装置１０における、画像の読み取りから用紙上への画像形成までの一連の動作について説明する。ここでは、静止読取モードが採用されている場合を例にとって説明する。
【００２９】
ユーザにより、読取対象の画像を有する面を図１の下方向に向けて用紙が透明ガラス２５０と上カバー２６０との間に配置され、さらに、操作部２７０を介して、画像形成に使用する用紙を収容するトレイの指定、両面／片面出力の選択、出力枚数の指定等がなされてボタン群２７０２の中の、画像読取・画像形成の開始を指示するスタートボタン（不図示）が押されると、第１キャリッジ２１０中のランプ２１１から光が照射され、そのランプで照射された光は、透明ガラス２５０を経て用紙３００上で反射し、その反射光は、第１キャリッジ２１０の第１ミラー２１２、第２キャリッジ２２０の第２ミラー２２１および第３ミラー２２２を経て、レンズ部２３０によりＣＣＤラインセンサ２４０上に結像される。図１では、画像読取部２００内の点線矢印によってこの光の経路が示されている。第１キャリッジ２１０は、このようなランプによる光の照射を行いながら画像読取部２００内の実線矢印方向（副走査方向）に移動し、さらに、第２キャリッジ２２０もこの第１キャリッジ２１０の移動速度の半分の速度で同じ方向に移動する。これにより、用紙３００上の画像全体が照射されるとともに、画像のどの箇所で反射された反射光もその光路長を一定に保ったままでＣＣＤラインセンサ２４０に結像される。このようにして、画像全体の反射光に基づく画像データがＣＣＤラインセンサ２４０により生成される。生成された各画像データは、不図示の処理回路によりアナログ／デジタル変換などの種々の信号処理が施された後、コントローラ６に送られ、コントローラ６中の読取画像用メモリ６４に記憶される。ユーザが、用紙３００の反対側の面、あるいは、新たな用紙の新たな画像を有する面を透明ガラス２５０上に配置してスタートボタンを押すごとにこのような画像データの生成と読取画像用メモリ６４への記憶とが繰り返される。
【００３０】
コントローラ６は、読取画像用メモリ６４に記憶されている画像データに対し、第１トレイ用メモリ群６１、第２トレイ用メモリ群６２、第３トレイ用メモリ群６３のうち、指定されたトレイに対応するメモリ群中の、そのトレイについてあらかじめ設定されている用紙の種類に対応するメモリから補正量を読み出して、その読み出した補正量に基づき、読取画像用メモリ６４に記憶されている画像データに対し画像の形成位置の補正処理や画像の倍率の補正処理といった種々の補正処理を施す。そして、コントローラ６は、露光部５に対し、その補正処理が施された画像データに基づく静電潜像を、帯電した現像剤保持体１１Ｋ，１１Ｃ、１１Ｍ，１１Ｙの上に形成させる。形成された静電潜像は、各画像形成ユニット内の現像器によって、各画像形成ユニットに対応した色のトナーを含む現像剤中のトナーで現像されて各色の現像像が形成される。このようにして各画像形成ユニットごとに形成された各色の現像像は、各現像剤保持体に対応した１次転写ロール１１０Ｋ，１１０Ｃ，１１０Ｍ，１１０Ｙにおいて、中間転写ベルト２上に、順次転写（１次転写）されて重ね合わされていき、多色の１次転写像が形成される。そして、この多色の１次転写像は、中間転写ベルト２により２次転写ロール３ａまで運搬されていく。一方、第１トレイ７０Ａ、第２トレイ７０Ｂ、第３トレイ７０Ｃのうちの指定されたトレイ中の用紙が、上記の多色の１次転写像の形成と呼応して取り出されて、第１搬送ロール対４１ａおよび第２搬送ロール対４１ｂによって搬送され、さらに位置合わせロール対４０によって用紙の態勢が整えられる。さらにこの位置合わせロール対４０により、中間転写ベルト２上の１次転写像が２次転写ロール３ａの位置に達するのにタイミングを合わせてその位置に用紙が送られるように用紙が送り出され、この送り出された用紙に対し、２次転写ロール３ａにより、上述の多色の１次転写像が転写（２次転写）される。その２次転写を受けた用紙は、さらに搬送ベルト３１で搬送され、定着装置４によって用紙上の２次転写像に定着処理が施される。図１においては、この時の用紙搬送路が、画像形成部１００内の右向きの点線矢印で示す経路で示されている。なお、用紙への２次転写後に中間転写ベルト２上に残留したトナーはクリーニング装置２ｂにより除去される。
【００３１】
片面出力が選択されている場合には、用紙はこの用紙搬送路を一回だけ通って定着装置４において２次転写像の定着が行われた後、送出ロール対４０ａを通過して、そのまま排紙トレイ１０ａ上に排出される。
【００３２】
一方、両面出力が選択されている場合には、右向きの矢印で示す上述の用紙搬送路を通ることで用紙の片面に２次転写像の転写および定着が行われた後、送出ロール対４０ａへ向かうことなく第１の両面用搬送ロール対４０ｂの間を通り、下向きの点線矢印で示す経路を通って下方に搬送される。その後、第２の両面用搬送ロール対４０ｃの回転方向が反転して用紙の搬送方向が上方に転じ、さらに、左向きの点線矢印で示す経路を通って、第３の両面用搬送ロール対４０ｄおよび第４の両面用搬送ロール対４０ｅを通過し、第１搬送ロール対４１ａ、第２搬送ロール対４１ｂ、および位置合わせロール対４０を経て、再び２次転写ロール３ａに向かう。ここで、用紙が最初に２次転写ロール３ａで転写を受けてから再び２次転写ロール３ａの位置に達するまでの間に、中間転写ベルト２上においては、上述した方式で新たな多色の１次転写像の形成が行われている。そして、用紙が２回目に２次転写ロール３ａに達した時に、その新たな多色の１次転写像が、用紙が１回目に２次転写を受けた時とは反対側の面に２次転写される。そして、その反対側の面上の新たな２次転写像に対して定着装置４により定着処理が施されて、両面に定着像が形成された用紙が排紙トレイ１０ａ上に排出される。ここで、用紙の反対側の面への２次転写後に中間転写ベルト２上に残留したトナーはクリーニング装置２ｂにより除去される。
【００３３】
以上が、この画像形成装置１０の動作についての説明であり、画像形成装置１０では、このようにして読み取った画像の用紙への画像形成が行われる。
【００３４】
以上の説明では、静止読取モードが採用された場合を例にとって説明したが、搬送読取モードが採用された場合は、搬送中の用紙上の画像を、静止した状態の第１キャリッジ２１０を用いて読み取る点が異なることを除き、上述の画像読取・画像形成と同じである。
【００３５】
なお、以上の説明では、用紙内における画像の形成位置の補正にあたって、画像データに対する画像の形成位置の補正処理が行われているが、本発明は、画像データに対するこのような補正処理に代えて、用紙内における画像の形成位置の補正を行うものであってもよい。たとえば、用紙内における用紙搬送方向についての画像全体の位置補正については、位置合わせロール対４０を制御して２次転写ロール３ａに向けて用紙を送り出すタイミングを変更することで補正を行うものであってもよい。また、用紙内における用紙搬送方向と垂直な方向についての画像全体の位置補正については、露光部３を制御して用紙搬送方向と垂直な方向（各現像剤保持体の回転軸方向）について各現像剤保持体上での静電潜像の書き出し位置を変更することで補正を行うものであってもよい。
【００３６】
ここで、この画像形成装置１０では、画像読取部２００は、透明ガラス２５０の広さ（すなわち、用紙台の広さ）よりもサイズの大きい用紙上の画像を一度に読み取ることはできないが、画像形成部１００は、こうした用紙サイズの制約をあまり受けず、透明ガラス２５０の広さ（用紙台の広さ）より大きいサイズの用紙上での画像形成も可能である。これは、画像読取部２００で読み取った画像を拡大して用紙上に形成する必要性や、画像形成後の用紙を裁断して所期の寸法に揃えるために寸法が少し大きい用紙上に画像を形成する必要性を考慮したものである。例えば、透明ガラス２５０の広さ（用紙台の広さ）がＡ３用紙と同程度の広さのものであるとすると、Ａ３用紙よりもサイズの大きい用紙にＡ３サイズやＡ４サイズの画像を出力させておいて、このＡ３用紙よりもサイズの大きい用紙から、そのＡ３サイズやＡ４サイズの画像を含む用紙部分を裁断するといった処理を行うことができる。このように透明ガラス２５０の広さ（すなわち、用紙台の広さ）よりもサイズの大きい用紙に画像を出力する場合でも、透明ガラス２５０の広さよりもサイズの小さい用紙に画像を出力する場合と同様に、用紙中のあらかじめ定められた位置に、あらかじめ定められた大きさ（倍率）で画像が正確に出力されることが望ましい。
【００３７】
以下では、この点を踏まえて、用紙上に形成される画像の位置や倍率等の補正量算出について説明する。
【００３８】
この画像形成装置１０では、ブラック（Ｋ）用の画像形成ユニット１Ｋを用いて、以下に説明する画像の位置や倍率等の補正量算出が行われる。なお、他のシアン（Ｃ）、マゼンタ（Ｍ）、イエロー（Ｙ）の各色の画像形成ユニットを用いた場合における補正量については、ブラック（Ｋ）用の画像形成ユニット１Ｋを含めた４色の各画像形成ユニットで形成された１次転写像の間における上述の相対的な位置や倍率の調整を通じて、ブラック（Ｋ）用の画像形成ユニット１Ｋを用いて算出された補正量から得ることができる。
【００３９】
この画像形成装置１０では、図１の操作部２７０における補正量算出モードボタン２７０２ａが押されることで、補正量を算出するモードが画像形成装置１０に設定される。ここで、この画像形成装置１０では補正量算出は用紙のサイズごとに行われ、補正量算出モードボタン２７０２ａが押されるごとに用紙のサイズごとの補正量算出モードに切り替わる。なお、この画像形成装置１０では、補正量算出モードボタン２７０２ａが押されない限り、上述した方式で画像読取・画像形成を行う通常モードが設定され、この通常モードが画像形成装置１０の電源投入時におけるデフォルトのモードである。
【００４０】
この画像形成装置１０では、透明ガラス２５０の広さ（用紙台の広さ）以下のサイズの用紙における画像の形成位置や画像の倍率等の補正量算出が行われる際には、試験画像を表す試験画像データが試験画像用メモリ６５から読み出されて上述のように画像の形成位置や画像の倍率等に関する補正処理が施された上で、補正処理後の試験画像データに基づき、試験画像が出力される。そして、その試験画像の読み取りが行われて試験画像の位置情報が取得されることにより、適正な画像の形成位置や適性な画像の倍率等の適正な画像状態を実現するための補正量が算出されて算出された補正量がこの用紙を収容していたトレイに対応するメモリ群（図１参照）のうちの、用紙の種類（普通紙、薄紙、厚紙）に応じたメモリに記憶される。ここで、このような透明ガラス２５０の広さ以下のサイズの用紙における画像の形成位置や画像の倍率等の補正量算出については、用紙台上にその用紙全面を載せてその用紙上の画像を一度に読み取って画像の形成位置の補正量や画像の倍率の補正量といった種々の補正量を算出するという従来の補正量算出方法（例えば特許文献１の方法）と同様の補正量算出方法が用いられる。方法（例えば特許文献１の方法）と同様の補正量算出方法が用いられる。
【００４１】
しかしながら、透明ガラス２５０の広さ（用紙台の広さ）より大きいサイズの用紙における画像の形成位置や画像の倍率等の補正量算出については、従来の補正量算出方法（例えば特許文献１の方法）では、こうした大きいサイズの用紙中の試験画像を一度に読み取ることができないため、従来の補正量算出方法をそのまま適用することができない。
【００４２】
ここで、この画像形成装置１０には、透明ガラス２５０の広さ（用紙台の広さ）より大きいサイズの用紙上での画像形成位置や画像の倍率等に対する補正量算出を可能とするための工夫が備えられている。以下、その工夫について説明する。以下では、このように透明ガラス２５０の広さより大きいサイズの用紙のことを「大サイズの用紙」と呼ぶこととし、簡単のために、透明ガラス２５０は、大サイズの用紙の半分のサイズよりは広いが大サイズの用紙よりも狭いものとする。また、図１の第１トレイ７０Ａに普通紙の大サイズの用紙が収容され、第２トレイ７０Ｂに厚紙の大サイズの用紙が収容され、図１の第３トレイ７０Ｃに、大サイズより小さいサイズの普通紙の用紙が収容されているものとする。そして、ここでは一例として、図１の第１トレイ７０Ａに普通紙の大サイズの用紙を用いて補正量算出を行う場合について説明を行う。
【００４３】
図２は、図１の画像形成装置１０における、透明ガラス２５０の広さ（用紙台の広さ）より大きいサイズの用紙上での補正量算出の流れを表したフローチャートである。
【００４４】
上述したように、この画像形成装置１０では補正量算出は用紙のサイズごとに行われ、補正量算出モードボタン２７０２ａが押されるごとに用紙のサイズごとの補正量算出モードに切り替わる。ここで、あらかじめ定められた回数だけ押されることで、大サイズの用紙上での画像の形成位置や画像の倍率等に対する補正量を算出するモードが画像形成装置１０に設定される（ステップＳ１）。
【００４５】
図３は、大サイズの用紙上での画像の形成位置や画像の倍率等に対する補正量を算出するモードが設定される際に、図１のタッチパネル式の表示画面２７０１に表示される画面を表した図である。
【００４６】
この画面では、試験画像の出力が行われる用紙を、その用紙を収容するトレイの指定を介して指定するための、第１トレイ欄２７０１ｅ、第２トレイ欄２７０１ｆ、第３トレイ欄２７０１ｇの３つのトレイ欄、試験画像の出力を指示するための試験画像出力欄２７０１ａ、これからユーザが画像形成装置１０に試験画像の読取りを行わせる旨を画像形成装置１０側に伝えるための読取り開始欄２７０１ｂ、画像形成装置１０に試験画像の読取りを行わせる作業をユーザが完了した旨を画像形成装置１０側に伝えるための読取り完了欄２７０１ｃ、補正量算出モードから通常モードに戻るためのＥＳＣ欄２７０１ｄが、ユーザの指の接触を受ける欄として表示されている。ここで、上述したように、第１トレイ７０Ａ，第２トレイ７０Ｂ，第３トレイ７０Ｃは，設定により各トレイに収容する用紙の種類（普通紙、薄紙、厚紙）と対応付けがなされており、図３では、各トレイに収容する用紙の種類が、各トレイ欄２７０１ｅ，２７０１ｆ，２７０１ｇの隣に表示されている。例えば、第１トレイ７０Ａに対応する第１トレイ欄２７０１ｅの隣には、第１トレイ７０Ａに収容されている大サイズの用紙の種類である「普通紙」が表示されている。ここで、この大サイズの用紙上での補正量を算出するモードでは、大サイズの用紙を収容しているトレイに対応するトレイ欄のみが選択可能であり、大サイズの用紙を収容していないトレイに対応するトレイ欄については選択できない。この図では、大サイズの用紙を収容していない第３トレイ７０Ｃに対応する第３トレイ欄２７０１ｇの周囲が点線で表示されていることで、ユーザが指で接触しても選択することができないことが示されている。
【００４７】
普通紙の大サイズの用紙（つまり、薄紙や厚紙ではない大サイズの用紙）についての補正量算出を行うため、普通紙の大サイズの用紙を収容している図１の第１トレイ７０Ａに対応した第１トレイ欄２７０１ｅがユーザの指の接触を受け、次に、試験画像の出力実行のために試験画像出力欄２７０１ａがユーザの指の接触を受ける。第１トレイ欄２７０１ｅがユーザの指の接触を受けることで、試験画像出力の際に用いられる補正量として図１の第１トレイ用メモリ群６１中の不図示の普通紙用メモリに記憶されている補正量が用いられることが決定される。試験画像出力欄２７０１ａがユーザの指の接触を受けると、図１の画像形成部１００において、試験画像を表す試験画像データが図１の試験画像用メモリ６５から読み出されて、上記の普通紙用メモリにこの時点で記憶されている補正量を用いて画像の形成位置や画像の倍率等に関する補正処理が施される。そして、その補正処理後の試験画像データに基づき、あらかじめ定められた出力枚数（Ｎ枚とする）の大サイズの用紙の両面に試験画像が出力される（図２のステップＳ２）。このときの画像形成については、上述した、両面出力が選択されているときの画像形成と同じである。
【００４８】
次に、読取り開始欄２７０１ｂがユーザの指の接触を受け（図２のステップＳ３）、これにより、これからユーザが画像形成装置１０に試験画像の読取りを行わせる旨が画像形成装置１０側に伝えられる。そして、以下に説明する手順で試験画像の読取りが行われる。
【００４９】
図４は、試験画像を有するＮ枚の大サイズの用紙のうちの１枚について読取りが行われる際に、用紙が、図１の透明ガラス２５０と上カバー２６０との間に配置されるまでの様子を表した図である。
【００５０】
まず、図４のパート（ａ）で示すように、試験画像を有する大サイズの用紙４００の上側の部分が、読取対象の画像部分を有する面を透明ガラス２５０側に向けて透明ガラス２５０上に配置される。
【００５１】
次に、図４のパート（ｂ）で示すように、透明ガラス２５０上の大サイズの用紙４００の上側の部分の上に、両面の全域が黒一色となっている黒色紙４００ａが配置され、これにより、この上側の部分は、黒色紙４００ａによって完全に覆われる。この黒色紙４００ａは、大サイズの用紙４００のエッジ部分が読取りによって明確に認識されるように、大サイズの用紙４００に対し黒の背景を与えるためのものである。
【００５２】
次に、図４のパート（ｃ）で示すように、大サイズの用紙４００の上側の部分および黒色紙４００ａの上を上カバー２６０で覆い、この状態で図１の画像読取部２００により読取りが実行される。このときの画像読取部２００の動作については図１の説明において上述した通りであり、読み取った試験画像の一部を表す読取りデータが読取画像用メモリ６４に記憶される。ただし、通常モードのときと異なり、補正量算出モードが設定されている状況では、この読取りデータに基づく画像形成は行われない。
【００５３】
以上説明した手順を踏んで今度は、大サイズの用紙４００の下側の部分について読取りが行われ、さらに、その裏面の上側の部分および下側の部分についてもそれぞれ読取りが行われる。このような、用紙の表面の上側と下側の部分、および、その裏面の上側と下側の部分についての読取りが、試験画像を有するＮ枚の大サイズの用紙について順次繰り返され、読取りごとに読取りデータが読取画像用メモリ６４に記憶されていく（図２のステップＳ４）。
【００５４】
ここで、試験画像について説明する。
【００５５】
図５は、試験画像を表した図である。
【００５６】
図５は、試験画像を有するＮ枚の大サイズの用紙のうち、例として、１枚目の大サイズの用紙の表面５０１Ａと裏面５０１Ｂ、および、２枚目の大サイズの用紙の表面５０２Ａと裏面５０２Ｂが、図５のパート（ａ）〜パート（ｄ）にそれぞれ示されている。ここで、裏面５０１Ｂ，５０２Ｂは、それぞれ、表面５０１Ａ，５０２Ａを、大サイズの用紙の長尺方向を回転軸として１８０度回転させたときに現れる面である。
【００５７】
１枚目の大サイズの用紙の表面５０１Ａと裏面５０１Ｂ、および、２枚目の大サイズの用紙の表面５０２Ａと裏面５０２Ｂのいずれにも、上端水平ライン６０１、中央水平ライン６０２、下端水平ライン６０３、左端垂直ライン６０４、中央垂直ライン６０５、右端垂直ライン６０６が記載されている。これらは、画像形成位置等の画像の情報を検出するための検出用画像である。ここで、図５のパート（ａ）〜パート（ｄ）では、１枚目の大サイズの用紙の表面５０１Ａと裏面５０１Ｂ、および、２枚目の大サイズの用紙の表面５０２Ａと裏面５０２Ｂのそれぞれの上側部分と下側部分を、図４で説明した配置方式に従って配置して読取りを順番に行ったときの各読取領域が、点線で示す、１回目読取領域７０１，２回目読取領域７０２，３回目読取領域７０３，４回目読取領域７０４，５回目読取領域７０５，６回目読取領域７０６，７回目読取領域７０７，８回目読取領域７０８の８個の読取領域として表されており、各読取領域の広さは、透明ガラス２５０の広さ（すなわち原稿台の広さ）に対応するものである。また、図５のパート（ａ）〜パート（ｄ）の各用紙の周囲には、図４のパート（ｂ）で透明ガラス２５０上に配置された用紙部分を覆う黒色紙４００ａも合わせて図示されている。
【００５８】
図５のパート（ａ）に示すように、１回目読取領域７０１と２回目読取領域７０２は、中央水平ライン６０２付近の領域で互いに重なっており、１枚目の大サイズの用紙の表面５０１Ａにおける、１回目読取領域７０１内の上側の部分を表す読取りデータと、２回目読取領域７０２内の下側の部分を表す読取りデータとが、いずれも、中央水平ライン６０２の位置情報を含むようになっている。
【００５９】
この点は、図５のパート（ｂ）〜パート（ｄ）でも同様であり、中央水平ライン６０２の位置情報は、３回目読取領域７０３内の上側の部分を表す読取りデータと、４回目読取領域７０４内の下側の部分を表す読取りデータとの間、５回目読取領域７０５内の上側の部分を表す読取りデータと、６回目読取領域７０６内の下側の部分を表す読取りデータとの間、および、７回目読取領域７０７内の上側の部分を表す読取りデータと、８回目読取領域７０８内の下側の部分を表す読取りデータとの間で、それぞれ互いに共通のものとなっている。
【００６０】
ここで、１枚目の大サイズの用紙の表面５０１Ａと裏面５０１Ｂ、および、２枚目の大サイズの用紙の表面５０２Ａと裏面５０２Ｂのそれぞれの上側部分と下側部分には、大サイズの用紙の表面と裏面とを識別するための面識別画像８０１Ａ，８０２Ａ，８０３Ａ，８０４Ａ，８０５Ａ，８０６Ａ，８０７Ａ，８０８Ａ、および、大サイズの用紙の用紙の上側と下側とを識別するための上下識別画像８０１Ｂ，８０２Ｂ，８０３Ｂ，８０４Ｂ，８０５Ｂ，８０６Ｂ，８０７Ｂ，８０８Ｂがそれぞれ記載されている。また、何枚目の用紙であるかを識別するための枚数識別画像８０１Ｃ，８０２Ｃ，８０３Ｃ，８０４Ｃ，８０５Ｃ，８０６Ｃ，８０７Ｃ，８０８Ｃ、および、いずれのトレイから出力されたかを示すトレイ識別画像８０１Ｄ，８０２Ｄ，８０３Ｄ，８０４Ｄ，８０５Ｄ，８０６Ｄ，８０７Ｄ，８０８Ｄもそれぞれ記載されている。
【００６１】
例えば、この図５では、表面５０１Ａ，５０２Ａでは、面識別画像８０１Ａ，８０２Ａ，８０５Ａ，８０６Ａは共通の「□□」の画像であり、一方、裏面５０１Ｂ，５０２Ｂでは、面識別画像８０３Ａ，８０４Ａ，８０７Ａ，８０８Ａは共通の「□□□」の画像であって、この２種類の画像で裏面と表面とが識別される。また、表面５０１Ａ，５０２Ａ、および、裏面５０１Ｂ，５０２Ｂでは、上側部分の上下識別画像８０１Ｂ，８０３Ｂ，８０５Ｂ，８０７Ｂは共通の「△」の画像であり、一方、下側部分の上下識別画像８０２Ｂ，８０４Ｂ，８０６Ｂ，８０８Ｂは共通の「△△」の画像であって、この２種類の画像で上側部分と下側部分とが識別される。また、１枚目の表面５０１Ａおよび裏面５０１Ｂの上側部分および下側部分の枚数識別画像８０１Ｃ，８０２Ｃ，８０３Ｃ，８０４Ｃは共通の「○」の画像であり、一方、２枚目の表面５０２Ａおよび裏面５０２Ｂの上側部分および下側部分の枚数識別画像８０５Ｃ，８０６Ｃ，８０７Ｃ，８０８Ｃは共通の「○○」の画像であってり、この２種類の画像で、１枚目の大サイズの用紙であるか、それとも、２枚目の大サイズの用紙であるかが識別される。ここで、トレイ識別画像８０１Ｄ，８０２Ｄ，８０３Ｄ，８０４Ｄ，８０５Ｄ，８０６Ｄ，８０７Ｄ，８０８Ｄについては、１枚目の大サイズの用紙も２枚目の大サイズの用紙も同じ第１トレイ７０Ａ（図１参照）から取り出された用紙であることからいずれも共通の「×」の画像となっている。
【００６２】
この画像形成装置１０で用いられる試験画像は、このような面識別画像，上下識別画像、枚数識別画像、およびトレイ識別画像の４種類の識別画像と、上端水平ライン６０１、中央水平ライン６０２、下端水平ライン６０３、左端垂直ライン６０４、中央垂直ライン６０５、右端垂直ライン６０６の６本のラインからなる検出用画像とで構成されている。
【００６３】
ここで、試験画像を有するＮ枚の大サイズの用紙の間では、このような面識別画像，上下識別画像、枚数識別画像の３種類の識別画像によって各用紙の表面の上側部分と下側部分、および、各用紙の裏面の上側部分と下側部分とが互いに識別され、各読取りデータに含まれる、面識別画像，上下識別画像、枚数識別画像の３種類の識別画像を表す識別画像データに基づき、それぞれの読取りデータが特定されることとなる。なお、トレイ識別画像は、後述するように、算出した補正量を記憶するためのメモリ群（図１参照）を特定するために用いられる。
【００６４】
図２に戻って説明を続ける。
【００６５】
ユーザがすべての用紙について読取りを完了したと判断して図３の読取り完了欄２７０１ｃがユーザの指の接触を受けるまで（ステップＳ５；Ｎｏ）、試験画像を有するＮ枚の大サイズの用紙のそれぞれについてその表面の上側部分と下側部分、および、裏面の上側部分と下側部分について読取りとその読取データの記憶とが続けられる（ステップＳ４）。ユーザがすべての用紙について読取りを完了したと判断して図３の読取り完了欄２７０１ｃがユーザの指の接触を受けると（ステップＳ５；Ｙｅｓ）、次に、図１のコントローラ６は、それまでに読取画像用メモリ６４に記憶されていた、試験画像の読取りデータ中の識別画像データを解析して、試験画像を有するＮ枚の大サイズの用紙の表面の上側部分と下側部分、および、裏面の上側部分と下側部分をそれぞれ特定する識別画像データがすべて揃っているか否かを判定する（ステップＳ６）。
【００６６】
ユーザが読取りを行うのを一部忘れてしまった等の事情により、識別画像データがすべて揃っていないと判定された場合には（ステップＳ６；Ｎｏ）、図１のコントローラ６は、試験画像を有するＮ枚の大サイズの用紙の表面の上側部分と下側部分、および、裏面の上側部分と下側部分のうち、読取りが行われていない部分が存在しており、その足りない識別画像データを有する部分について再度の読取りを行うべきことをユーザに促す警告メッセージを図１の表示画面２７０１に表示させる（ステップＳ７）。例えば、「２枚目の裏面の下側部分の読取りが行われておりません。２枚目の裏面の下側部分を原稿台に配置して再度読取りを行って下さい。」といった警告メッセージが表示される。読取りが行われていない部分が、図４で説明した配置方式に従って配置されて読取りが実行され、さらに、その読取りデータが図１の読取画像用メモリ６４に記憶されて（ステップＳ４）、ユーザにより図３の読取り完了欄２７０１ｃがユーザの指の接触を受けると（ステップＳ５；Ｙｅｓ）、再度、識別画像データがすべて揃っているか否かが判定される（ステップＳ６）。
【００６７】
識別画像データがすべて揃っていると判定された場合には（ステップＳ６；Ｙｅｓ）、次に、図１のコントローラ６は、それまでに読取画像用メモリ６４に記憶されていた、試験画像の読取りデータ中の識別画像データを解析して、重複する識別画像データが存在するか否かが判定する（ステップＳ８）。
【００６８】
ユーザが誤って同じ部分の読取りを重複して行ってしまった等の事情により、重複する識別画像データが存在する場合には（ステップＳ８；Ｙｅｓ）、図１のコントローラ６は、重複する識別画像データを含む読取り読取りデータのうち、最初に読取画像用メモリ６４に記憶されたものを選択する（ステップＳ９）。
【００６９】
重複する識別画像データが存在しない場合（ステップＳ８；Ｎｏ）におけるすべての読取りデータ、あるいは、重複する識別画像データが存在して（ステップＳ８；Ｙｅｓ）読取りデータの選択が行われた（ステップＳ９）後の読取りデータは、試験画像を有するＮ枚の大サイズの用紙の表面の上側部分と下側部分、および、裏面の上側部分と下側部分にそれぞれ対応する、２×２×Ｎ＝４Ｎ個の読取りデータとなっている。図１のコントローラ６は、これら４Ｎ個の読取りデータそれぞれについて、４Ｎ個の読取りデータそれぞれで表される検出画像の位置パラメータを抽出する。図５のパート（ａ）の上側部分を例にとって具体的に説明すると、まず、読み取った画像中において、図４の黒色紙２５０に起因する黒色部分が、用紙に対応する白色部分に変化する箇所を求めることで用紙のエッジを検出し、これによりエッジの１つの交点である用紙の角の位置を原点Ｏ（図５のパート（ａ）参照）として決定する。次に、上端水平ライン６０１、中央水平ライン６０２、左端垂直ライン６０４、中央垂直ライン６０５、右端垂直ライン６０６をそれぞれ検出し、６つの交点Ａ１，Ａ２，Ａ３，Ａ４，Ａ５，Ａ６の各座標を求める。この６つの座標の座標値が上述の検出画像の位置パラメータである。
【００７０】
次に、図１のコントローラ６は、この位置パラメータを、試験画像を有するＮ枚の用紙について平均する。たとえば、図１のコントローラ６は、Ｎ枚の大きいサイズの用紙それぞれの表面の上側部分における６つの座標の座標値に関し、Ｎ枚の大きいサイズの用紙の間で平均値を求める。ここで、いずれかの座標について座標値が、あらかじめ定められた範囲を超えている場合は位置パラメータの誤検出の可能性があるため、このような場合には、あらかじめ定められた範囲を座標値が超えている座標を１つでも有する用紙については上記の平均の算出からは除外され、残りの用紙についての平均が算出される（ステップＳ１０）。
【００７１】
次に、図１のコントローラ６は、表面および裏面それぞれについて、試験画像（図５参照）における、上端水平ライン６０１と下端水平ライン６０３との間の距離、左端垂直ライン６０４と右端垂直ライン６０６との間の距離、上側のエッジと上端水平ライン６０１との距離、左側のエッジと左端垂直ライン６０４との間の距離といった種々の位置情報を算出する。
【００７２】
例えば、上端水平ライン６０１と下端水平ライン６０３との間の距離については、大サイズの用紙の上部分で、上端水平ライン６０１と中央垂直ライン６０５との交点の平均の座標と、中央水平ライン６０２と中央垂直ライン６０５との交点の平均の座標との間の距離を算出し、大サイズの用紙の下部分で、下端水平ライン６０３と中央垂直ライン６０５との交点の平均の座標と、中央水平ライン６０２と中央垂直ライン６０５との交点の平均の座標との間の距離を算出し、上部分で算出された距離と下部分で算出された距離との和として、上端水平ライン６０１と下端水平ライン６０３との間の距離を求めることができる。また、左端垂直ライン６０４と右端垂直ライン６０６との間の距離については、大サイズの用紙の上部分と下部分のそれぞれで、中央水平ライン６０２と左端垂直ライン６０４との交点の平均の座標と、中央水平ライン６０２と右端垂直ライン６０６との交点の平均の座標との間の距離を算出し、上部分で算出された距離と下部分で算出された距離の平均の距離として、左端垂直ライン６０４と右端垂直ライン６０６との間の距離を求めることができる。また、上側のエッジと上端水平ライン６０１との距離、および、左側のエッジと左端垂直ライン６０４との間の距離については、上端水平ライン６０１と左端垂直ライン６０４との交点の平均の座標の、左端垂直ライン６０４に沿った方向の座標成分、および、上端水平ライン６０１に沿った方向の座標成分として求めることができる。
【００７３】
ここで、上端水平ライン６０１と下端水平ライン６０３との間の距離は、図５の垂直方向についての試験画像の倍率を決定するものであり、左端垂直ライン６０４と右端垂直ライン６０６との間の距離は、図５の水平方向についての試験画像の倍率を決定するものである。また、上側のエッジと上端水平ライン６０１との距離、および、左側のエッジと左端垂直ライン６０４との間の距離は、大サイズの用紙における試験画像の位置を決定するものである。図１のコントローラ６は、これら２種類の倍率と、大サイズの用紙における試験画像の位置とが適正な値となるために必要な画像形成位置および倍率の補正量を算出する（ステップＳ１１）。このようにして、大サイズの用紙における表面用の補正量と裏面用の補正量とが算出されることとなる。
【００７４】
補正量の算出が行われると、次に、図１のコントローラ６は、識別画像データ中の、トレイ識別画像を表すデータに基づき、大きいサイズの用紙の取り出されたトレイ（この説明の例では図１の第１トレイ７０Ａ）を特定し、特定されたトレイに対応するメモリ群（この説明の例では図１の第１トレイ用メモリ群６１）中の普通紙用メモリ，薄紙用メモリ，厚紙用メモリのいずれにその補正量を記憶させるかの選択を行わせるかの選択画面（不図示）を図１の表示画面に表示させる（ステップＳ１２）。ここで、このように、ユーザが用紙の種類（通紙用、薄紙、厚紙）に応じて、メモリの選択を行うようになっている理由は、用紙の種類ごとに補正量の管理を行うのに便利だからである。
【００７５】
この選択画面を通じて、ユーザが、第１トレイ用メモリ群６１中の普通紙用メモリを選択すると、図１のコントローラ６は、その選択されたメモリに補正量（表面用の補正量と裏面用の補正量）を記憶させる（ステップＳ１３）。ここで、この補正量の記憶の際には、メモリに元々記憶されていた補正量に対し、上述の過程を経て算出された新たな補正量が上書きされる。
【００７６】
以上説明したように、この画像形成装置１０では、透明ガラス２５０の広さ（すなわち、原稿台あるいは読取可能領域）よりも大きい大サイズの用紙に試験画像が出力される場合であっても、試験画像を有するＮ枚の大サイズの用紙の表面の上側部分と下側部分、および、裏面の上側部分と下側部分をそれぞれ識別する識別画像を備えることで、大サイズの用紙の両面の上側部分と下側部分とで分割した読取りで得られた読取りデータから、大サイズの用紙の両面それぞれについて画像形成位置等の補正量を算出することが可能となっている。
【００７７】
特に、用紙の枚数で平均化された位置パラメータ（座標値）の平均を算出することで、平均の算出が行われない場合（たとえば用紙の１枚の両面にしか試験画像の出力を行わない場合）と比較して、補正量の精度が向上している。
【００７８】
また、試験画像の読取りの際に、ユーザの操作ミス等により、必要な読取り部分が欠落してしまった場合であっても、警告メッセージを表示することで、欠落した部分の存在が容易にユーザに把握されることとなりユーザに読取りのやり直しが促される。
【符号の説明】
【００７９】
１Ｙ，１Ｍ，１Ｃ，１Ｋ  画像形成ユニット
１０  画像形成装置
１０ａ  排紙トレイ
１１Ｋ，１１Ｃ，１１Ｍ，１１Ｙ  現像剤保持体
１００  画像形成部
１１０Ｋ，１１０Ｃ，１１０Ｍ，１１０Ｙ  １次転写ロール
２  中間転写ベルト
２ａ  センサ
２ｂ  クリーニング装置
２００  画像読取部
２１０  第１キャリッジ
２１１  ランプ
２１２  第１ミラー
２２０  第２キャリッジ
２２１  第２ミラー
２２２  第３ミラー
２３０  レンズ部
２４０  ＣＣＤラインセンサ
２５０  透明ガラス
２６０  上カバー
２６０ａ  給紙口
２６０ｂ  排出口
２６１  原稿トレイ
２６２  排紙台
２７０  操作部
２７０１  表示画面
２７０１ａ  試験画像出力欄
２７０１ｂ  読取り開始欄
２７０１ｃ  読取り完了欄
２７０１ｄ  ＥＳＣ欄
２７０１ｅ  第１トレイ欄
２７０１ｆ  第２トレイ欄
２７０１ｇ  第３トレイ欄
２７０２  ボタン群
２７０２ａ  補正量算出モードボタン
３ａ  ２次転写ロール
３ｂ  バックアップロール
３０  駆動ロール
３１  搬送ベルト
３００，３００’  用紙
４  定着装置
４０  位置合わせロール対
４０ａ  送出ロール対
４０ｂ  第１の両面用搬送ロール対
４０ｃ  第２の両面用搬送ロール対
４０ｄ  第３の両面用搬送ロール対
４０ｅ  第４の両面用搬送ロール対
４１ａ  第１搬送ロール対
４１ｂ  第２搬送ロール対
４００  大サイズの用紙
４００ａ  黒色紙
５  露光部
５０１Ａ  １枚目の大サイズの用紙の表面
５０１Ｂ  １枚目の大サイズの用紙の裏面
５０２Ａ  ２枚目の大サイズの用紙の表面
５０２Ｂ  ２枚目の大サイズの用紙の裏面
６  コントローラ
６１  第１トレイ用メモリ群
６２  第２トレイ用メモリ群
６３  第３トレイ用メモリ群
６４  読取画像用メモリ
６５  試験画像用メモリ
６０１  上端水平ライン
６０２  中央水平ライン
６０３  下端水平ライン
６０４  左端垂直ライン
６０５  中央垂直ライン
６０６  右端垂直ライン
７０１  １回目読取領域
７０２  ２回目読取領域
７０３  ３回目読取領域
７０４  ４回目読取領域
７０５  ５回目読取領域
７０６  ６回目読取領域
７０７  ７回目読取領域
７０８  ８回目読取領域
８０１Ａ，８０２Ａ，８０３Ａ，８０４Ａ  面識別画像
８０５Ａ，８０６Ａ，８０７Ａ，８０８Ａ  面識別画像
８０１Ｂ，８０２Ｂ，８０３Ｂ，８０４Ｂ  上下識別画像
８０５Ｂ，８０６Ｂ，８０７Ｂ，８０８Ｂ  上下識別画像
８０１Ｃ，８０２Ｃ，８０３Ｃ，８０４Ｃ  枚数識別画像
８０５Ｃ，８０６Ｃ，８０７Ｃ，８０８Ｃ  枚数識別画像
８０１Ｄ，８０２Ｄ，８０３Ｄ，８０４Ｄ  トレイ識別画像
８０５Ｄ，８０６Ｄ，８０７Ｄ，８０８Ｄ  トレイ識別画像
Ｏ  原点
Ａ１，Ａ２，Ａ３，Ａ４，Ａ５，Ａ６  交点
【図１】
2014023088.tif 000003
【図２】
2014023088.tif 000004
【図３】
2014023088.tif 000005
【図４】
2014023088.tif 000006
【図５】
2014023088.tif 000007